(57)【要約】【課題】  スーツケースの見た目を変えることができ、ファッション性に富んだスーツケースを提供することを目的とする。【解決手段】  前胴２と後胴３とを備えるスーツケース１であって、前胴２および後胴３に巻き付ける胴巻きベルト１０と、前胴２または後胴３の少なくともいずれか一方に固定される、胴巻きベルト１０を挿通させる固定ベルト通し１２とを備え、胴巻きベルト１０をスーツケース１に対して着脱可能にしており、胴巻きベルト１０の緊締力により前胴２または後胴３に抑えつけられる、胴巻きベルト１０を挿通させる着脱可能な分離ベルト通し１１を備えることを特徴とする。【選択図】  図１
0003197272.tif 000002
【実用新案登録請求の範囲】
【請求項１】
前胴と後胴とを備えるスーツケースであって、
前胴および後胴に巻き付ける胴巻きベルトと、
前胴または後胴の少なくともいずれか一方に固定される、前記胴巻きベルトを挿通させる固定ベルト通しとを備え、
前記胴巻きベルトをスーツケースに対して着脱可能にしている
ことを特徴とするスーツケース。
【請求項２】
前記スーツケースは、さらに、
胴巻きベルトの緊締力により前胴または後胴に抑えつけられる、胴巻きベルトを挿通させる着脱可能なベルト通しを備える
ことを特徴とする請求項１に記載のスーツケース。
【請求項３】
前記胴巻きベルトに、着脱可能なベルト飾り部を形成した
ことを特徴とする請求項１または２に記載のスーツケース。
【考案の詳細な説明】
【技術分野】
【０００１】
本考案は、ベルト付きのスーツケースに関するものである。なお、ここではキャリーバーを備えたキャリーケースもスーツケースに含まれるものとする。
【背景技術】
【０００２】
駅や空港などでキャスターの付いたスーツケースを引きながら移動する旅行者やビジネスマンの姿がよく見られる。スーツケースには嵩張るものを一杯に詰めることがあるので、移動中に開かないように胴巻きベルトを胴体の外周に巻きつけたものがある。この胴巻きベルトは位置ずれして弛緩することがあるため、前胴と後胴にそれぞれ胴巻きベルトを挿通させるベルト通しを設けたスーツケースも提案されている（特許文献１参照）。
【先行技術文献】
【特許文献】
【０００３】
【特許文献１】実用新案登録第３０１７８４５号公報
【考案の概要】
【考案が解決しようとする課題】
【０００４】
最近ではスーツケースもファッション性が重視されるようになっており、スーツケースのサイズやデザインも様々提案されている。各パーツを取り替えてデザインを変更するといった楽しみ方も求められつつある。ところが、前記特許文献１のように従来のスーツケースでは、デザインが固定されており、デザイン変更の要望に応えることができない。
【０００５】
本考案は、上記のような問題点を解決することを課題として開発されたもので、スーツケースの見た目を変えることができ、ファッション性に富んだスーツケースを提供することを目的とする。
【課題を解決するための手段】
【０００６】
上記の課題を解決し、その目的を達成するため、本考案に係るスーツケースは、前胴と後胴とを備えるスーツケースであって、前胴および後胴に巻き付ける胴巻きベルトと、前胴または後胴の少なくともいずれか一方に固定される、前記胴巻きベルトを挿通させる固定ベルト通しとを備え、前記胴巻きベルトをスーツケースに対して着脱可能にしていることを特徴とする。
【０００７】
これにより、胴巻きベルトを取り替え可能としているので、異なるデザイン胴巻きベルトに替えることでスーツケースの外観を変更することができ、ファッション性に富んだスーツケースが実現される。
【０００８】
ここで、前記スーツケースは、さらに、胴巻きベルトの緊締力により前胴または後胴に抑えつけられる、胴巻きベルトを挿通させる着脱可能なベルト通しを備えることが好ましい。
【０００９】
これにより、ベルト通し部も取り替え可能にするので、スーツケースのデザインの自由度を高めることができる。
【００１０】
さらに、前記胴巻きベルトに、着脱可能なベルト飾り部を形成したものでもよい。
【００１１】
これにより、胴巻きベルトにも着脱可能な飾りが取り付けられるので、より一層スーツケースの装飾のバリエーションを増やすことができる。
【考案の効果】
【００１２】
本考案のスーツケースは、胴巻きベルトやベルト通し部を取り替え可能としているので、胴巻きベルトやベルト通し部を交換することでスーツケースの外観を変更することができ、スーツケースをファッション性に富んだものとすることができる。
【図面の簡単な説明】
【００１３】
【図１】本考案のスーツケースの全体斜視図である。
【図２】固定ベルト通し部の拡大図である。
【図３】ベルトを締めた際の固定ベルト通し部の拡大図である。
【図４】固定ベルト通し部の拡大図である。
【図５】ベルトを締めた際の固定ベルト通し部の拡大図である。
【図６】分離ベルト通し部の断面図である。
【図７】別例のスーツケースの全体斜視図である。
【図８】ベルト飾り部の拡大図である。
【考案を実施するための最良の形態】
【００１４】
以下に、本考案の実施の形態を添付図面に基づいて説明する。
【００１５】
図１は、本考案のスーツケースの全体斜視図である。
【００１６】
スーツケース１は、キャスターの付いたスーツケースであり、前胴２と後胴３とから構成されており、後胴３に取っ手４が取り付けられている。前胴２と後胴３には、胴巻きベルト１０が巻き付けられており、胴巻きベルト１０の端部にはそれぞれ係合手段として磁石１３，１４が設けられている。
【００１７】
胴巻きベルト１０は、分離ベルト通し部１１と固定ベルト通し部１２とを挿通して前胴２と後胴３とに巻き付けられている。分離ベルト通し部１１は、前胴２および後胴３に対して着脱自在になっているベルト通しである。固定ベルト通し部１２は、前胴２または後胴３に固定されるベルト通しであり、ここでは後胴３の取っ手４近傍に取り付けられている例を示している。固定ベルト通し部１２は、例えば縫着により後胴３に固定され、後胴３に合わせたデザインが付されている。
【００１８】
図２は、固定ベルト通し部１２付近を拡大して示す図であり、図３は、胴巻きベルト１０を締めた際の固定ベルト通し部１２付近を拡大して示す図である。
【００１９】
ここでは後胴３に固定ベルト通し部１２が設けられている例を示している。胴巻きベルト１０を前胴２と後胴３とに巻き付けて締めると、端部に係合手段として設けられた磁石１３と磁石１４がくっついてスーツケース１に固定されるようになっている。胴巻きベルト１０の一端部に設けられた磁石１３は突起となって固定ベルト通し部１２に引っかかることにより、胴巻きベルト１０の端部が後胴３側に抜け出ないようになっている。一方、胴巻きベルト１０は前胴２側へ引き抜くことにより、スーツケース１から着脱可能になっている。このとき、胴巻きベルト１０の一端部に設けられた磁石１４は固定ベルト通し部１２に引っかからないように高さを調整しておくのが好ましい。
【００２０】
図４は、固定ベルト通し部１２付近の別の例を拡大して示す図であり、図５は、胴巻きベルト１０を締めた際の固定ベルト通し部１２付近の別の例を拡大して示す図である。
【００２１】
図２および図３では胴巻きベルト１０の端部に設けられる係合手段として磁石を例にしたが、図４および図５に示すように係合手段としてはバックル１５とベルト穴１６とを用いることもできる。このとき、バックル１５がストッパーとなって固定ベルト通し部１２に係止することにより、胴巻きベルト１０の端部が後胴３側に抜け出ないようになっている。
【００２２】
図６は、分離ベルト通し部１１の断面図である。
【００２３】
分離ベルト通し部１１は、スーツケース１との接触面１８の反対側に向けて膨らんで胴巻きベルト１０を挿通することができる空間となる通し部１７を有している。分離ベルト通し部１１は、胴巻きベルト１０を締めつけたときの緊締力によりスーツケース１に抑えつけられるが、着脱自在を保持させたままで所定の定着手段によりスーツケース１に定着できるようにしてもよい。所定の定着手段としては、例えば、接触面１８に粘着剤を塗布することやスーツケース１側と接触面１８とに面ファスナーを設けることなどが考えられる。
【００２４】
このように構成されたスーツケース１は、胴巻きベルト１０と分離ベルト通し部１１とが取り替え可能になっているので、胴巻きベルト１０および分離ベルト通し部１１のデザインを替えることによりスーツケースの外観を変更することができ、ファッション性に富んだスーツケースとなる。
【００２５】
ここで、本考案に係るスーツケースについて別の例を挙げる。
【００２６】
図７は、スーツケースの別の例の全体斜視図である。
【００２７】
スーツケース５は、キャスターの付いたスーツケースであり、上記のスーツケース１と同様に、前胴６と後胴７とから構成されており、後胴７に取っ手８が取り付けられており、前胴６と後胴７に胴巻きベルト２０が固定ベルト通し部２２を挿通して巻き付けられている。また、胴巻きベルト２０の端部にはそれぞれ係合手段として磁石２３，２４が設けられており、併せてバックル２５が設けられている。
【００２８】
胴巻きベルト２０には、ベルト穴２６が設けられている。ベルト穴２６は、バックル２５と係合するとともに、ベルト飾り２１が取り付けられることによりベルト飾り部を形成するようになっている。
【００２９】
図８は、ベルト飾り部の拡大図である。
【００３０】
ベルト飾り部は、ビス２７をベルト飾り２１とベルト穴２６とに挿通させて胴巻きベルト２０の裏側からワッシャー２８で固定することにより形成され、ビス２７とワッシャー２８を緩めることにより胴巻きベルト２０から取り外し交換が可能になっている。
【００３１】
このように、胴巻きベルト２０に着脱可能なベルト飾り部を形成することによってもスーツケースの外観を変更して、ファッション性に優れたスーツケースを実現することができる。なお、ここではビスとワッシャーでベルト飾り部を着脱可能としているが、ホック等の他の係合手段でベルト飾り部を着脱可能にしてもよい。
【００３２】
以上、本考案について実施の形態に基づいて説明したが、本考案はこれらに限定されるものではなく、本考案の目的を達成でき、かつ考案の要旨を逸脱しない範囲内で種々の設計変更が可能であり、それらも全て本考案の範囲内に包含されるものである。
【００３３】
例えば、上記実施の形態ではキャスター付きのスーツケースを例示しているが、キャスターがないスーツケースでも構わないことはいうまでもない。
【産業上の利用可能性】
【００３４】
本考案は、スーツケースやキャリーケースとして好適である。
【符号の説明】
【００３５】
１，５      スーツケース
２，６      前胴
３，７      後胴
４，８      取っ手
１０，２０  胴巻きベルト
１１        分離ベルト通し部
１２，２２  固定ベルト通し部
１３，１４，２３，２４  磁石
１５，２５  バックル
１６，２６  ベルト穴
１７        通し部
１８        接触面
【図１】
0003197272.tif 000003
【図２】
0003197272.tif 000004
【図３】
0003197272.tif 000005
【図４】
0003197272.tif 000006
【図５】
0003197272.tif 000007
【図６】
0003197272.tif 000008
【図７】
0003197272.tif 000009
【図８】
0003197272.tif 000010